(57)【要約】【課題】  より廉価な棺を使用することができ、また高級感を与えることができる棺装飾具、及び該棺装飾具を備える装飾棺を提供する。【解決手段】  弾性部４０に引っ張り力を与えて周方向の長さ寸法を収納部１２の外周の長さ寸法より長くした状態で、弾性部４０を収納部１２の開口１４の周囲の外周面に外嵌させる。このとき、装飾具本体３０の一周縁の位置と収納部１２の周囲壁の上縁の位置とが一致するように調整し、また、装飾具本体３０の第１固定片３１，３１及び第２固定片３２，３２は収納部の内側へ垂れるように配置する。そして、第１固定片３１，３１及び第２固定片３２，３２の各固定部３３（３３），３３（３３）の各位置にそれぞれ固定具５０，５０，…を配設し、該固定具５０，５０，…によって装飾具本体３０を収納部１２の周囲壁に固定する。【選択図】  図２
2015000184.tif 000002
【特許請求の範囲】
【請求項１】
長方形箱状の収納部と該収納部の開口を塞止する蓋部とを具備する棺本体の前記収納部を装飾する棺装飾具において、
前記収納部の外周面の全域を覆う装飾具本体と、該装飾具本体から延設され、装飾具本体を前記収納部に固定するための固定片とを備えることを特徴とする棺装飾具。
【請求項２】
前記固定片は前記収納部の内側へ垂下されるようになっており、固定片の裏面側には、前記収納部の周方向へ向かうように配された帯状の固定部が、固定片の先端から突出しないように垂設してある請求項１記載の棺装飾具。
【請求項３】
前記固定片は、前記収納部の内周面の略全領域を覆うようになしてある請求項２記載の棺装飾具。
【請求項４】
前記固定片は、前記収納部の長辺に対応する一対の第１固定片と、前記収納部の短辺に対応する一対の第２固定片とを具備している請求項１から３のいずれかに記載の棺装飾具。
【請求項５】
前記第１固定片の長さ寸法は、前記収納部の長辺の長さ寸法の略７割以上略１０割以下になしてある請求項４記載の棺装飾具。
【請求項６】
前記装飾具本体には、前記収納部の外周面に当該装飾具本体を密接させる弾性部が設けてある請求項１から５のいずれかに記載の棺装飾具。
【請求項７】
前記装飾具本体は筒状になしてある請求項１から６のいずれかに記載の棺装飾具。
【請求項８】
前記装飾具本体は帯状になしてあり、当該装飾具本体の一端近傍にはフック部が取り付けてあり、当該装飾具本体の他端側の適宜位置には前記フック部を係合させる複数の受部が、装飾具本体の長手方向へ適宜の間隔で取り付けてある請求項１から６のいずれかに記載の棺装飾具。
【請求項９】
長方形箱状の収納部と該収納部の開口を塞止する蓋部とを具備する棺本体の前記収納部を棺装飾具にて装飾してなる装飾棺において、
請求項１から８のいずれかに記載の棺装飾具を備え、該棺装飾具を構成する装飾具本体によって前記収納部の外周面の全域を覆ってあることを特徴とする装飾棺。
【発明の詳細な説明】
【技術分野】
【０００１】
本発明は、遺体を納める棺を装飾するために用いる棺装飾具、及び該棺装飾具を備える装飾棺に関する。
【背景技術】
【０００２】
和の葬儀に使用される棺としては主に、檜、樅又は桐等の無垢材にて構成した天然木棺と、薄いラワン合板の間に芯材を入れて貼り合わせた材料にて構成したフラッシュ棺とが流通している。天然木棺は無垢材で構成されているので周囲に高級感を与えるものの、高価であるためフラッシュ棺に比べて流通量は少ない。これに対して、フラッシュ棺は天然木棺より廉価であるものの質感に劣るため、棺本体の底部を除く全表面に、天然木を薄くスライスした突板を貼着させた突板貼り合板棺、木目を印刷したプリント紙を貼着させたプリント合板棺、及び布を貼着させた布張り棺が開発されている。
【０００３】
このような中、需要者から更に廉価な棺が要求されている。しかし、前述したいずれのフラッシュ棺にあっても、棺本体の底部を除く全表面に、突板、プリント紙又は布を貼着しているため、この貼着工程に材料費、熟練した手間及び時間を要し、製造コストを低減させるには限度があった。
【０００４】
そのため、後記する特許文献１には次のような棺が開示されている。
すなわち、適宜の大きさ及び形状になした複数種類の基材に適宜の模様をそれぞれ印刷した複数のシートを用意しておき、需要者が選択した１又は複数のシートを棺本体の適宜位置に貼着して棺を構成するのである。
【０００５】
このような棺にあっては、棺本体の全表面ではなく、棺本体の適宜位置にシートを貼着するので、熟練した手間が不要であり、また材料費及び時間をより少なくすることができ、貼着工程に要するコストを低減することができる。
【先行技術文献】
【特許文献】
【０００６】
【特許文献１】特開２００５−１０２８００号公報
【発明の概要】
【発明が解決しようとする課題】
【０００７】
しかしながらこのような従来の棺にあっては、棺本体のシートが貼着されていない部分は、棺本体の表面の質感がそのまま表れるため、シートを貼着させる面積が狭い場合は、残存部分の質感を高くすべく、棺本体として前述した突板貼り合板棺、プリント合板棺又は布張り棺を使用しなければならず、従って棺の製造コストはシートを貼着しない場合より嵩んでしまう。一方、棺本体の表面が表れないようにするためには、棺本体の底部を除く全表面にシートを貼着しなければならないため、従来の突板貼り合板棺、プリント合板棺又は布張り棺における貼着工程に係るコストと同程度のコストを要し、棺の製造コストを低減することはできなかった。
【０００８】
本発明は斯かる事情に鑑みてなされたものであって、より廉価な棺を使用することができ、また高級感を与えることができる棺装飾具、及び該棺装飾具を備える装飾棺を提供する。
【課題を解決するための手段】
【０００９】
（１）本発明に係る棺装飾具は、長方形箱状の収納部と該収納部の開口を塞止する蓋部とを具備する棺本体の前記収納部を装飾する棺装飾具において、前記収納部の外周面の全域を覆う装飾具本体と、該装飾具本体から延設され、装飾具本体を前記収納部に固定するための固定片とを備えることを特徴とする。
【００１０】
本発明の棺装飾具にあっては、長方形箱状の収納部と該収納部の開口を塞止する蓋部とを具備する棺本体の前記収納部を装飾すべく、前記収納部の外周面の全域を覆う装飾具本体を備える。すなわち、装飾具本体の幅寸法は、棺本体の収納部の高さ寸法と略同じ又はそれより適宜長い寸法になしてあり、装飾具本体によって収納部の外周面の全域を囲繞するようになっている。
【００１１】
また、本発明の棺装飾具は、前記装飾具本体から延設され、装飾具本体を前記収納部に固定するための固定片を備える。棺本体の収納部を囲繞するように装飾具本体を配置し、収納部の外周面の全域を覆うように位置合わせした後、ピン又は画鋲等の固定具を用いて、装飾具本体から延設された固定片を収納部に固着させることによって、装飾具本体を収納部に着脱可能に固定する。
【００１２】
固定片は収納部の内部へ垂下させることによって、前述した固着作業を容易に実施することが可能となる。一方、固定片は収納部の外周面に当接させ、そこで固着するようにしてもよい。この場合、装飾具本体にて固定片も覆い隠すことができる。
【００１３】
かかる装飾具本体は、布といった柔らかく薄い素材で構成する。また、需要者の要求に応じた適宜の色になし、更に、ギャザー若しくはプリーツといった立体的意匠、及び／又は織り柄、刺繍柄若しくはプリント柄といった平面的意匠を施すとよい。これによって上品な雰囲気、上質な雰囲気又は豪華な雰囲気を周囲に与えることができる。なお、装飾具本体は一枚の素材だけでなく、複数枚の素材を重ねて使用してもよいし、一枚又は複数枚の素材の適宜箇所に、適宜形状になした他の素材を固定して使用してもよい。
【００１４】
また、固定片も自在に変形する布といった柔軟な素材で構成し、また、固定片には種々の意匠を設けておくとよい。これによって、固定片を収納部の内部へ垂下させた場合であっても、上質な雰囲気又は豪華な雰囲気を周囲に与えることができる。なお、固定片を収納部の外周面に当接させて、そこで固着する場合は、装飾具本体によって固定片も覆い隠されるため、前述した意匠は不要である。
【００１５】
このように収納部の周囲に装飾具本体を配設することによって、収納部の外周面を覆い隠して、収納部の外周面が外方から目視し得ないようにするため、棺本体の収納部に比較的質素で廉価な材料を用いた場合であっても、周囲の雰囲気に影響を及ぼさない。棺本体において、収納部は蓋部より大きな割合を占めており、この部分のコストを低減することができるため、棺本体を廉価にすることができる。一方、棺装飾具によって収納部の周囲を装飾することができるため、棺本体の収納部を上品、上質又は豪華に演出することができる。
【００１６】
（２）本発明に係る棺装飾具は、前記固定片は前記収納部の内側へ垂下されるようになっており、固定片の裏面側には、前記収納部の周方向へ向かうように配された帯状の固定部が、固定片の先端から突出しないように垂設してあることを特徴とする。
【００１７】
本発明の棺装飾具にあっては、固定片は前記収納部の内側へ垂下されるようになっている。そして、固定片の裏面側には、収納部の周方向へ向かうように配された帯状の固定部が、固定片の先端から突出しないように垂設してあり、これによって固定部は固定片によって覆い隠されるようになっている。
【００１８】
このような固定片では、前述した如く装飾具本体を収納部の周囲に配置した後、固定部に前記固定具を貫通させて、当該固定部を収納部の内面に突刺すことによって、固定片を収納部に固定する。このとき、固定部と共に固定具も固定片によって覆い隠される。これによって、外部から固定具を視認することが回避され、固定片の素材及び意匠によって形成された前記雰囲気を可及的に保持することができる。
【００１９】
（３）本発明に係る棺装飾具は、前記固定片は、前記収納部の内周面の略全領域を覆うようになしてあることを特徴とする。
【００２０】
本発明の棺装飾具にあっては、固定片は、収納部の内周面の略全領域を覆うようになしてある。すなわち、固定片の幅寸法は、収納部の深さ寸法に収納部の周囲壁の厚さ寸法を加えた寸法と同じか、それより適宜短い寸法になしてあり、固定片の長さ寸法は収納部の内径と略同じ寸法になしてある。なお、収納部はその幅寸法が収納部の深さ寸法より適宜短い寸法であっても、収納部内に敷き布団を配設した際に、収納部の内面が現れないようになしてある。
【００２１】
これによって、収納部の外周面は装飾具本体にてその全領域が覆い隠され、更に、収納部の内周面は固定片、又は固定片及び敷き布団によってその全領域が覆い隠される。従って、収納部に比較的質素で廉価な材料を用いた場合において、蓋部が開かれた状態であっても、周囲の雰囲気に影響を及ぼさない。前述した如く、棺本体において収納部は蓋部より大きな割合を占めており、この部分のコストを低減することができるため、棺本体を廉価にすることができる。一方、棺装飾具によって収納部の内周面の全領域を装飾することができるため、収納部に遺体を収納する前、又は収納する際においても、当該収納部の内部を上質又は豪華に演出することができる。
【００２２】
（４）本発明に係る棺装飾具は、前記固定片は、前記収納部の長辺に対応する一対の第１固定片と、前記収納部の短辺に対応する一対の第２固定片とを具備していることを特徴とする。
【００２３】
本発明の棺装飾具にあっては、固定片は、収納部の長辺に対応する一対の第１固定片と、収納部の短辺に対応する一対の第２固定片とを具備しているため、両第１固定片及び両第２固定片を各別に収納部に固定することができる。これによって、固定作業の自由度が大きく、当該作業を容易に行うことができる。
【００２４】
（５）本発明に係る棺装飾具は、前記第１固定片の長さ寸法は、前記収納部の長辺の長さ寸法の略７割以上略１０割以下になしてあることを特徴とする。
【００２５】
本発明の棺装飾具にあっては、第１固定片の長さ寸法は、前記収納部の長辺の長さ寸法の略７割以上略１０割以下になしてある。第１固定片を、例えばより短い長さ寸法の複数の固定片で構成した場合、各固定片の両端の位置をそれぞれ固定具で固定しなければならないため、固定操作に多くの手間を要する。更に、前記各固定片が適宜の間隔を隔てて設けられている場合にあっては、各固定片の両端の位置をそれぞれ固定具で固定しても、装飾具本体の各固定片の間の部分に自重による撓みが生じてしまう。
【００２６】
これに対して、前述したように本棺装飾具に係る第１固定片の長手方向の寸法は、収納部の長手方向の７割以上１０割以下の適宜値になしてあるため、当該固定部の少なくとも両端近傍及び中央部分にそれぞれ固定具を配することによって、当該固定部の全長領域を収納部に固定することができ、これによって装飾具本体の収納部の長辺側の周囲壁に対向する部分の全領域において、撓みが発生することを防止できる。
【００２７】
（６）本発明に係る棺装飾具は、前記装飾具本体には、前記収納部の外周面に当該装飾具本体を密接させる弾性部が設けてあることを特徴とする。
【００２８】
本発明の棺装飾具にあっては、装飾具本体には、前記収納部の外周面に当該装飾具本体を密接させる弾性部が設けてある。この弾性部には、ゴム又はバネといった弾性部材を適用することができる。かかる弾性部は、装飾具本体の一側縁部、即ち装飾具本体の前記収納部の上縁近傍に対向させるがわの側縁部に設ける。
【００２９】
前述した収納部の長手方向の寸法は一定ではないが、装飾具本体は弾性部によってその周方向の寸法を調整することができるため、異なる寸法の収納部であってもそれに対応することができる。その場合、弾性部が収納部の外周面に密接するため、装飾具本体の一側縁部と収納部との間に隙間ができず、装飾具本体が取り付けられた収納部を斜め上方から目視した場合であっても、収納部の外周面を認識することを防止できる。
【００３０】
（７）本発明に係る棺装飾具は、前記装飾具本体は筒状になしてあることを特徴とする。
【００３１】
本発明の棺装飾具にあっては、装飾具本体は筒状になしてあり、かかる装飾具本体を収納部に外嵌させることによって、装飾具本体を収納部の外周面側に配置する。このように、装飾具本体を収納部の外周面側に配置する作業を効率良く実施することができる。一方、装飾具本体が筒状であるため、収納部の全周に亘って連続的に覆い隠すことができる。
【００３２】
（８）本発明に係る棺装飾具は、前記装飾具本体は帯状になしてあり、当該装飾具本体の一端近傍にはフック部が取り付けてあり、当該装飾具本体の他端側の適宜位置には前記フック部を係合させる複数の受部が、装飾具本体の長手方向へ適宜の間隔で取り付けてあることを特徴とする。
【００３３】
本発明の棺装飾具にあっては、装飾具本体は帯状になしてあり、当該装飾具本体の一端近傍にはフック部が取り付けてあり、当該装飾具本体の他端側の適宜位置には前記フック部を係合させる複数の受部が、装飾具本体の長手方向へ適宜の間隔で取り付けてある。かかる装飾具本体を収納部に取り付ける場合、収納部の外周面に帯状の装飾具本体を巻回させ、装飾具本体の一端部を把持して装飾具本体に撓みが生じないように互いに引っ張った状態で、装飾具本体の一端近傍に取り付けたフック部を、装飾具本体の他端側に取り付けた複数の受部の内、最も近い受部に係合させる。このとき、装飾具本体の両端部は互いに重なり合い、従って収納部の外周面の全領域を装飾具本体にて覆い隠すことができる。一方、装飾具本体は帯状になしてあるため、棺装飾具を製造する際に、作業上の自由度が多く、作業効率が高い。
【００３４】
（９）本発明に係る装飾棺は、長方形箱状の収納部と該収納部の開口を塞止する蓋部とを具備する棺本体の前記収納部を棺装飾具にて装飾してなる装飾棺において、前記（１）から（８）のいずれかに記載の棺装飾具を備え、該棺装飾具を構成する装飾具本体によって前記収納部の外周面の全域を覆ってあることを特徴とする。
【００３５】
本発明の装飾棺にあっては、長方形箱状の収納部と該収納部の開口を塞止する蓋部とを具備する棺本体の前記収納部を棺装飾具にて装飾してなる装飾棺において、前述した（１）から（８）のいずれかに記載の棺装飾具を備え、該棺装飾具を構成する装飾具本体によって前記収納部の外周面の全域を覆ってあるため、（１）から（８）で詳述した各作用・効果を奏する。
【図面の簡単な説明】
【００３６】
【図１】本発明に係る装飾棺を示す模式的斜視図である。
【図２】本発明に係る装飾棺を示す模式的斜視図である。
【図３】図１及び図２に示した棺装飾具を示す模式的斜視図である。
【図４】図３に示した第１固定片の一部破断部分拡大図である。
【図５】本発明に係る他の装飾棺の構成を示す模式的斜視図である。
【図６】本発明に係る更に他の装飾棺の構成を示す模式的斜視図である。
【図７】図６に示した装飾具本体の連結固定部の部分拡大図である。
【発明を実施するための形態】
【００３７】
（第１実施形態）
以下、本発明に係る棺装飾具及び装飾棺について図面を用いて詳述する。なお、以下に説明する棺装飾具及び装飾棺は、本発明の趣旨を説明する一例であり、本発明はその趣旨を逸脱しない範囲での変形や改造を含むことはいうまでもない。
【００３８】
図１及び図２は本発明に係る装飾棺１を示す模式的斜視図であり、図１は棺本体１０を構成する蓋部１１を閉じた状態を、図２は当該蓋部１１を開けた状態をそれぞれ示している。装飾棺１は棺本体１０と当該棺本体１０を装飾する棺装飾具２０とを備えている。
【００３９】
棺本体１０は板状の蓋部１１と遺体を収納する箱状の収納部１２とから構成されており、収納部１２の開口１４を蓋部１１で塞止するようになっている。この蓋部１１の素材は需要者の要求に応じて種々適用することができる。例えば、檜、樅又は桐等の無垢材、若しくは合板の間に芯材を入れて貼り合わせたフラッシュ材、又は段ボール等を用いることができる。更に、フラッシュ材又は段ボールの表面に突板、プリント紙、プリント板又は布を貼着させたものを用いてもよい。
【００４０】
なお、図１及び図２に示した蓋部１１は平板状になしてあるが、両側縁部より中央部を厚くして、断面視が略蒲鉾形又は略台形になす等、適宜の形状であってよいことはいうまでもない。更に、蓋部１１の表面に彫刻を施し、又は彫刻を施した部材をフラッシュ材又は段ボールを取り付けてもよい。
【００４１】
また、蓋部１１の一端近傍の位置に、収納部１２内に収納した遺体の顔を見るための開き扉１１ａ，１１ａを設けてもよい。
【００４２】
一方、収納部１２は、図１及び図２に示したように、平面視が略長方形をなしており、前述した開口１４から内部へ遺体を収納するようになっている。収納部１２の長手方向の寸法は適宜に定めることができるが、国内の関連事業者にあっては、成人用として、略１８０ｃｍ程度の長さ寸法と、略１９０ｃｍ程度の長さ寸法となした２種類の収納部１２を在庫として保持している場合が多い。なお、前述した蓋部１１も、収納部１２の寸法に応じた寸法のものが予め用意されている。
【００４３】
収納部１２は適宜の材料を用いて構成することができるが、例えばフラッシュ材又は段ボールといった比較的質素で廉価な材料を用いるとよい。これによって、収納部１２の製造に要するコストを可及的に低減することができる。更に、段ボールを用いた場合は、環境にも配慮した収納部１２を構成することができる。
【００４４】
この収納部１２の周囲には棺装飾具２０が配設してあり、該棺装飾具２０によって収納部１２の周囲を装飾するとともに、収納部１２の外側を覆い隠して、収納部１２の外周面が外方から目視し得ないようになしてある。
【００４５】
図３は、図１及び図２に示した棺装飾具２０を示す模式的斜視図であり、図中、３０は装飾具本体である。装飾具本体３０は、布といった柔らかく薄い素材で筒状に構成してなり、需要者の要求に応じた適宜の色になしてある。また、装飾具本体３０には、ギャザー若しくはプリーツといった立体的意匠、及び／又は織り柄、刺繍柄若しくはプリント柄といった平面的意匠が施してあり、これによって上品な雰囲気、上質な雰囲気又は豪華な雰囲気を周囲に与え得るようになしてある。なお、装飾具本体３０は一枚の素材だけでなく、複数枚の素材を重ねて使用してもよいし、一枚又は複数枚の素材の適宜箇所に、適宜形状になした他の素材を固定して使用してもよい。
【００４６】
装飾具本体３０は、前述した収納部１２（図１及び図２参照）の周囲に配設し得るように、当該収納部１２の周囲寸法より適宜寸法長い筒状になしてあり、また、装飾具本体３０の幅寸法ｈは、収納部１２の高さ寸法と略同じ又はそれより適宜長い寸法になしてある。
【００４７】
装飾具本体３０の一周縁部の内側には、ゴム又はバネといった弾性部材（図３にあっては帯状のゴム）を用いてなる弾性部４０が、当該周縁部の全周に亘って取り付けてある。弾性部４０の周方向の長さ寸法は、弾性部４０に引っ張り力を与えない状態において、棺本体１０の収納部１２（共に図２参照）の外周の長さ寸法より短くなしてあり、図２に示したように収納部１２に装飾具本体３０を取り付ける場合、弾性部４０に引っ張り力を与えて周方向の長さ寸法を収納部１２の外周の長さ寸法より長くした状態で、弾性部４０を収納部１２の開口１４の周囲の外周面に外嵌させるようになっている。
【００４８】
この場合、装飾具本体３０の弾性部４０がその弾性作用によって収納部１２の外周面に密接するため、装飾具本体３０の一周縁部と収納部１２との間に隙間が生じない。このように収納部１２に装飾具本体３０を取り付けた場合に、装飾具本体３０の一周縁部と収納部１２との間に隙間ができないため、本装飾具本体３０は、これが取り付けられた収納部１２を斜め上方から目視した場合であっても収納部１２の外周面を視認し得ないように、収納部１２を覆うことができる。
【００４９】
なお、図３に示した棺装飾具２０にあっては、装飾具本体３０の一周縁部の内側に帯状のゴムを直接取り付けた弾性部４０について示したが、本発明はこれに限らず、例えば装飾具本体３０の一周縁部にその周方向の全領域に亘って袋状の紐通し部を設けておき、該紐通し部内に弾性部材を挿通させることによって弾性部４０を構成してもよい。
【００５０】
一方、装飾具本体３０の一周縁部には、当該装飾具本体３０を収納部１２（図２参照）に固定する一対の第１固定片３１，３１が装飾具本体３０の周方向へ略１８０度位置を異ならせて垂設してあり、両第１固定片３１，３１の間の略中央位置にはそれぞれ、同じく装飾具本体３０を収納部１２に固定する一対の第２固定片３２，３２が垂設してある。
【００５１】
第１固定片３１，３１及び第２固定片３２，３２は布といった柔軟な素材で構成してあり、これによって収納部１２の周囲壁の厚さに拘わらず、収納部の周囲壁の内面へ垂下させてそこに固定することができるようになしてある。また、第１固定片３１，３１及び第２固定片３２，３２には種々の意匠を設けておくことができ、例えば適宜の意匠が施されたレース布で第１固定片３１，３１及び第２固定片３２，３２を構成することによって、上質な雰囲気又は豪華な雰囲気を周囲に与えることができる。
【００５２】
これら、第１固定片３１，３１及び第２固定片３２，３２の先端近傍の位置の裏面側には、画鋲又はピンといった固定具５０，５０，…（図２参照）を貫通させるための帯状の固定部３３，３３，…が第１固定片３１，３１及び第２固定片３２，３２の長手方向の略全領域に亘って設けてある。なお、この固定部３３も布といった柔軟な素材で構成するとよい。
【００５３】
図４は図３に示した第１固定片３１の一部破断部分拡大図であり、厚さ方向を強調してある。なお、図中、図３に示した部分に対応する部分には同じ番号が付してある。
【００５４】
図４に示したように、第１固定片３１の裏面には固定部３３が、その一側縁部が第１固定片３１の先端から突出しないように配置してあり、固定部３３の他側縁部を第１固定片３１に縫着させてある。これによって、固定部３３は第１固定片３１によって覆い隠されており、第１固定片３１の先端を作業者が摘まんで持ち上げた場合に固定部３３が現れるようになっている。
【００５５】
なお、図３に示した第２固定片３２，３２にあっても前同様の構成になしてある。
【００５６】
ところで、図２に示したように、棺装飾具２０を棺本体１０の収納部１２に固定する場合、第１固定片３１，３１及び第２固定片３２，３２の先端を順次、作業者が摘まんで持ち上げることによって固定部３３，３３，…を現させ、その状態で固定具５０，５０，…を、当該固定部３３，３３，…に貫通させる様態で固着させた後、当該第１固定片３１，３１又は第２固定片３２，３２の先端を解放させる。これによって、各固定部３３，３３，…及び当該固定部３３，３３，…に固着された固定具５０，５０，…は第１固定片３１，３１又は第２固定片３２，３２によって覆い隠されるため、外部から固定具５０，５０，…を視認することが回避され、第１固定片３１，３１又は第２固定片３２，３２の素材及び意匠によって形成された前記雰囲気を可及的に保持することができる。
【００５７】
なお、固定具５０，５０，…の頭部は透明部材で形成されたものを適用するとよい。これによって、第１固定片３１，３１及び第２固定片３２，３２の素材としてレース布を適用した場合であっても、固定具５０，５０，…の頭部が外部から視認し難く、第１固定片３１，３１又は第２固定片３２，３２によって形成された前記雰囲気を可及的に保持することができる。
【００５８】
一方、第１固定片３１，３１及び第２固定片３２，３２の素材としてレース布に裏地を縫着させたもの、又は目の詰まった布地を適用することもできる。この場合、固定具５０，５０，…の頭部が透明部材で形成されていなくとも、各固定具５０，５０，…を第１固定片３１，３１又は第２固定片３２，３２にて隠すことができる。
【００５９】
ところで、第１固定片３１，３１は、図２に示したように収納部１２の長辺側の周囲壁に固定すべく、平面視が装飾具本体３０の周方向へ長い帯状になしてある。第１固定片３１，３１の長手方向の寸法は、収納部１２の長手方向の寸法の７割以上１０割以下の適宜値になしてあり、少なくとも固定部３３（３３）の両端近傍及び中央部分がそれぞれ固定具５０，５０（５０）によって収納部１２の周囲壁の内面に固定されるようになっている。
【００６０】
一方、第２固定片３２，３２は、収納部１２の短辺側の周囲壁に固定すべくなしてあり、第２固定片３２，３２の長手方向の寸法は、収納部１２の短辺方向の長さより短い適宜値になしてある。この第２固定片３２，３２はそれぞれ、少なくとも中央部分の１箇所に配した固定具５０（５０）によって収納部１２の周囲壁の内面に固定されるようになっている。
【００６１】
ここで、前述した第１固定片３１を、例えばより短い長さ寸法の複数の固定片で構成した場合、各固定片の両端の位置をそれぞれ固定具５０，５０，…で固定しなければならないため、固定操作に多くの手間を要する。更に、前記各固定片が適宜の間隔を隔てて設けられている場合にあっては、各固定片の両端の位置をそれぞれ固定具５０，５０，…で固定しても、装飾具本体３０の各固定片の間の部分に自重による撓みが生じてしまう。
【００６２】
これに対して、前述したように本棺装飾具２０に係る第１固定片３１の長手方向の寸法は、収納部１２の長手方向の７割以上１０割以下の適宜値になしてあり、第１固定片３１の長手方向の略全領域に亘って固定部３３が設けてあるため、当該固定部３３の少なくとも両端近傍及び中央部分に固定具５０，５０，５０を配することによって、当該固定部３３の全長領域を収納部１２の周囲壁に固定することができ、これによって装飾具本体３０の収納部１２の長辺側の周囲壁に対向する部分の全領域において、撓みが発生することを防止できる。
【００６３】
一方、収納部１２の短辺側は比較的短い寸法であるため、装飾具本体３０の当該部分に対向する領域に撓みが発生し難い。従って、第２固定片３２，３２は適宜の長さ寸法でよく、少なくとも中央部分の１箇所に固定具５０を配することによって、装飾具本体３０の当該部分に対向する領域に撓みが生じることを回避することができる。
【００６４】
このような棺装飾具２０にあっては、前述したように、弾性部４０に引っ張り力を与えて周方向の長さ寸法を収納部１２の外周の長さ寸法より長くした状態で、弾性部４０を収納部１２の開口１４の周囲の外周面に外嵌させる。このとき、図２に示したように、装飾具本体３０の一周縁の位置と収納部１２の周囲壁の上縁の位置とが一致するように調整し、また、装飾具本体３０の第１固定片３１，３１及び第２固定片３２，３２は収納部の内側へ垂れるように配置する。そして、第１固定片３１，３１及び第２固定片３２，３２の各固定部３３（３３），３３（３３）の前述した各位置にそれぞれ固定具５０，５０，…を配設し、該固定具５０，５０，…によって装飾具本体３０を収納部１２の周囲壁に固定する。
【００６５】
このように収納部１２の周囲に棺装飾具２０を配設することによって、収納部１２の外側を覆い隠して、収納部１２の外周面が外方から目視し得ないようになしてある。従って、収納部１２に比較的質素で廉価な材料を用いた場合であっても、周囲の雰囲気に影響を及ぼさない。棺本体１０において収納部１２は蓋部１１より大きな割合を占めており、この部分のコストを低減することができるため、棺本体１０を廉価にすることができる。一方、棺装飾具２０によって収納部１２の周囲を装飾することができるため、棺本体１０の収納部１２を上品、上質又は豪華に演出することができる。
【００６６】
一方、前述したように収納部１２の長手方向の寸法は一定ではないが、装飾具本体３０は弾性部４０によってその周方向の寸法を調整することができるため、異なる寸法の収納部１２であってもそれに対応することができる。その場合、弾性部４０が収納部１２の外周面に密接するため、装飾具本体３０の一周縁部と収納部１２との間に隙間ができず、装飾具本体３０が取り付けられた収納部１２を斜め上方から目視した場合であっても、収納部１２の外周面を認識することを防止できる。
【００６７】
一方、第１固定片３１，３１及び第２固定片３２，３２は薄い素材で構成してあるため、図１に示した如く、収納部１２を蓋部１１で閉じた場合であっても、収納部１２と蓋部１１との間に殆ど間隙が生じず、周囲に違和感を与えない。
【００６８】
（第２実施形態）
図５は本発明に係る他の装飾棺の構成を示す模式的斜視図であり、第１固定片及び第２固定片によって収納部１２の周囲壁の内面の略全領域を装飾するようになしてある。なお、本実施形態では図１及び図２に示した蓋部１１と同じであるため図５では省略している。また、図５中、図１乃至図４に示した各部分に対応する部分には同じ番号を付してその説明を省略する。
【００６９】
図５に示したように、本棺装飾具２１にあっては、第１固定片３１ａ，３１ａ及び第２固定片３２ａ，３２ａは収納部１２の周囲壁の長辺部分及び短辺部分に対応する長方形状になしてある。そして、第１固定片３１ａ，３１ａの長さ寸法は、収納部１２の周囲壁の長辺部分の長さ寸法と同じ又はそれより適宜寸法だけ長くなしてあり、また第１固定片３１ａ，３１ａの幅寸法は、収納部１２の深さ寸法と同じ又はそれより適宜寸法だけ短くなしてある。同様に、第２固定片３２ａ，３２ａの長さ寸法は、収納部１２の周囲壁の短辺部分の長さ寸法と同じ又はそれより適宜寸法だけ長くなしてあり、また第２固定片３２ａ，３２ａの幅寸法は、収納部１２の周囲壁の深さ寸法と同じ又はそれより適宜寸法だけ短くなしてある。
【００７０】
ここで、収納部１２の内底部には敷き布団（図示せず）が配設されるようになっており、第１固定片３１ａ，３１ａ及び第２固定片３２ａ，３２ａの幅寸法が収納部１２の深さ寸法より適宜短く、収納部１２の周囲壁の内面を深さ方向において全て覆い隠さない場合であっても、収納部１２の周囲壁の内面の当該部分は、配設された敷き布団によって覆い隠されるようになしてある。
【００７１】
第１固定片３１ａ，３１ａ及び第２固定片３２ａ，３２ａの裏面には固定部３３（３３），３３（３３）が前同様、その一側縁部が第１固定片３１ａ，３１ａ及び第２固定片３２ａ，３２ａの先端から突出しないように垂設してあり、固定部３３（３３），３３（３３）の他側縁部を第１固定片３１ａ，３１ａ及び第２固定片３２ａ，３２ａに縫着させてある。これによって、固定部３３（３３），３３（３３）は第１固定片３１ａ，３１ａ及び第２固定片３２ａ，３２ａによって覆い隠されており、第１固定片３１ａ，３１ａ及び第２固定片３２ａ，３２ａの先端を作業者が摘まんで持ち上げた場合に固定部３３（３３），３３（３３）が現れるようになっている。
【００７２】
そして、前同様、第１固定片３１ａ，３１ａの固定部３３（３３）にあっては、少なくとも両端部と中央部の３箇所、第２固定片３２ａ，３２ａの固定部３３（３３）にあっては、少なくとも中央部の１箇所に固定具５０，５０，…を配設することによって、装飾具本体３０を収納部１２の周囲壁に固定してある。
【００７３】
このような装飾棺１ａにあっては、収納部１２の外周面は装飾具本体３０にてその全領域が覆い隠されており、更に、収納部１２の周囲壁の内面は第１固定片３１ａ，３１ａ及び第２固定片３２ａ，３２ａ、又は第１固定片３１ａ，３１ａ若しくは第２固定片３２ａ，３２ａ及び敷き布団によってその全領域が覆い隠されている。従って、収納部１２に比較的質素で廉価な材料を用いた場合において、蓋部が開かれた状態であっても、周囲の雰囲気に影響を及ぼさない。前述した如く、棺本体において収納部１２は蓋部より大きな割合を占めており、この部分のコストを低減することができるため、棺本体を廉価にすることができる。一方、棺装飾具２０によって収納部１２の周囲壁の内面の全領域を装飾することができるため、収納部１２に遺体を収納する前、又は収納する際においても、当該収納部１２の内部を上質又は豪華に演出することができる。
【００７４】
なお、本実施形態では第１固定片３１ａ，３１ａ及び第２固定片３２ａ，３２ａを各別に設けた場合について説明したが、本発明はこれに限らず、第１固定片及び第２固定片を連続する１枚の布地で構成した固定片を設けてもよい。この場合、収納部１２の周囲壁内の四隅を当該固定片によって覆い隠すことができ、柔らかい雰囲気を周囲に与えることができる。
【００７５】
（第３実施形態）
図６は本発明に係る更に他の装飾棺の構成を示す模式的斜視図であり、装飾具本体を帯状になした場合について示してある。なお、本実施形態では図１及び図２に示した蓋部１１と同じであるため図６では省略している。また、図６中、図１乃至図４に示した各部分に対応する部分には同じ番号を付してその説明を省略する。
【００７６】
本棺装飾具２２にあっては、図６に示したように、装飾具本体３０ａが、収納部１２の高さ寸法と同じ又はそれより適宜長い寸法の幅寸法になした帯状になしてあり、収納部１２の外周面に巻回させて、装飾具本体３０ａの一端部を装飾具本体３０ａの他端側の適宜位置で連結固定するようになしてある。この連結固定部については図７を用いて詳述する。なお、図６に示した装飾具本体３０ａにあっては、装飾具本体３０ａを収納部１２の外周面に一重に巻回させた場合について示してある。ここで、装飾具本体３０ａを収納部１２の外周面に適宜回数だけ巻回させることができるが、一重である場合、装飾具本体３０ａの長さ寸法を可及的に短くすることができるため好適である。
【００７７】
図７は図６に示した装飾具本体３０ａの連結固定部の部分拡大図である。装飾具本体３０ａの一端部裏面側であって、装飾具本体３０ａの一側縁部、即ち装飾具本体の前記収納部の上縁近傍に対向させるがわの側縁部には、細帯状の第１台座片４１が縫着してあり、該第１台座片４１の適宜位置には一対のフック部４５，４５が第１台座片４１の幅方向に適宜距離を隔てて取り付けてある。
【００７８】
一方、装飾具本体３０ａの他端部裏面側であって、装飾具本体３０ａの一側縁部には、細帯状の第２台座片４２が縫着してあり、該第２台座片４２には、該第２台座片４２の幅方向に適宜距離を隔てて配され、前記フック部４５，４５と係合する複数対の受部４６，４６、４６，４６、…，…が第２台座片４２の長手方向へ適宜の間隔で、装飾具本体３０ａを貫通する様態で取り付けてある。
【００７９】
このような棺装飾具２２にあっては、装飾具本体３０ａを棺本体１０の収納部１２（いずれも図２参照）の外周面に、装飾具本体３０ａの一側縁部と収納部１２の上縁とが一致するように巻回させ、装飾具本体３０ａの一端部を把持して装飾具本体３０ａに撓みが生じないように互いに引っ張った状態で、装飾具本体３０ａの一端近傍に取り付けたフック部４５，４５を、装飾具本体３０ａの他端側に取り付けた複数対の受部４６，４６、４６，４６、…，…の内、最も近い受部４６，４６に係合させる。これによって、図２に示した如き弾性部４０を具備しない場合であっても、装飾具本体３０ａを収納部１２の外周面に密接させることができるため、装飾具本体３０ａの一周縁部と収納部１２の外周面との間に隙間が生じることが防止され、収納部１２を斜め上方から目視した場合であっても、装飾具本体３０ａによって収納部１２の外周面が視認され得ないように、収納部１２を覆うことができる。
【００８０】
ここで、装飾具本体３０ａの両端部は互いに重なり合っており、これによって収納部１２の外周面の周方向の全領域を装飾具本体３０ａにて覆い隠すことができる。
【００８１】
従って、前同様、収納部１２に比較的質素で廉価な材料を用いた場合であっても、周囲の雰囲気に影響を及ぼさず、従って、棺本体を廉価にすることができる。一方、棺装飾具２２によって収納部１２の周囲を装飾することができるため、棺本体の収納部１２を上品、上質又は豪華に演出することができる。一方、複数対の受部４６，４６、４６，４６、…，…が第２台座片４２の長手方向へ適宜の間隔で配設してあるため、収納部１２の長さ寸能が異なった場合であってもこれに対応することができる。
【００８２】
ところで、前述した如く装飾具本体３０ａは帯状になしてあるため、棺装飾具を製造する際に、作業上の自由度が多く、作業効率が高い。
【００８３】
本実施形態では、前述したように弾性部を具備しない棺装飾具２２について説明したが、本発明はこれに限らず、装飾具本体３０ａの一側縁部の適宜位置に弾性部を設けてもよい。例えば、第１台座片４１及び第２台座片４２をゴム材にて構成してもよい。かかる構成に代えて、又はかかる構成に加えて、装飾具本体３０ａの一側縁部の適宜位置に１又は複数の弾性部を設けてもよい。これによって、装飾具本体３０ａを収納部１２の外周面により強く密接させることができ、装飾具本体３０ａの一周縁部と収納部１２との間に隙間が生じることを確実に防止することができる。
【００８４】
ところで、装飾具本体３０ａの一側縁部の適宜位置に、前述した受部４６，４６、４６，４６、…，…を覆い隠す被覆部を取り付けるようにしてもよい。これによって、全ての受部４６，４６、４６，４６、…，…を外方から目視し得なくすることができ、装飾具本体３０ａが周囲に与える雰囲気を保持することができる。
【００８５】
なお、以上説明したいずれの実施形態にあっても、棺装飾具２０，２１，２２は棺本体１０の収納部１２に着脱可能に固定してあるため、棺装飾具２０，２１，２２を複数回使用することができる。前述したように棺装飾具２０，２１，２２に使用される素材は比較的廉価であるため、棺装飾具２０，２１，２２の製造コストは棺本体１０の製造コストに比べて遥かに少ない。これに加えて、棺装飾具２０，２１，２２を複数回使用することができるため、例えば棺装飾具２０，２１，２２を賃貸する場合、その賃貸料を可及的に低くすることができる。
【００８６】
なお、以上説明した各実施形態にあっては、成人用の棺本体に適用した場合について説明したが、本発明はこれに限らず、幼児・子供用の棺本体、ペット用の棺本体にも適用し得ることは言うまでも無い。
【符号の説明】
【００８７】
１    装飾棺
１ａ  装飾棺
１０    棺本体
１１    蓋部
１２    収納部
２０    棺装飾具
２１    棺装飾具
２２    棺装飾具
３０    装飾具本体
３０ａ  装飾具本体
３１    第１固定片
３１ａ  第１固定片
３２    第２固定片
３２ａ  第２固定片
３３    固定部
４０    弾性部
【図１】
2015000184.tif 000003
【図２】
2015000184.tif 000004
【図３】
2015000184.tif 000005
【図４】
2015000184.tif 000006
【図５】
2015000184.tif 000007
【図６】
2015000184.tif 000008
【図７】
2015000184.tif 000009